(57)【要約】【課題】設計上の制約となるような突起物の張り出し及び緩みや脱落等の心配がなくて済み、薄板から厚板まで広範な範囲で接合が可能で且つ割れや変形等の品質欠陥の発生を回避でき、作業性や作業環境を良好に維持したままリサイクル性に優れた接合を行うことができる材料の接合方法を提供する。【解決手段】接合孔３を予め穿設してある第一材料１に接合孔３を被覆するように第二材料２を重ね合わせ、接合孔３に対応させて配置した接合ツール８を回転しながら第二材料２に押し付け、摩擦熱で第二材料２を固相状態のまま局所的に軟化させて第一材料１の接合孔３へ入り込ませ、該接合孔３に入り込ませた第二材料２に第一材料１側との幾何学的な係合部（山部５’とアンカー部６’）を形成せしめてから接合ツール８を引き抜き、係合部を硬化させて第一材料１と第二材料２とを接合する。【選択図】図３
2007136505.tif 000002
【特許請求の範囲】
【請求項１】
接合孔を予め穿設してある第一材料に前記接合孔を被覆するように第二材料を重ね合わせ、前記接合孔に対応させて配置した接合ツールを回転しながら第二材料に押し付け、該第二材料と接合ツールとの間に生じた摩擦熱で前記第二材料を固相状態のまま局所的に軟化させて第一材料の接合孔へ入り込ませ、該接合孔に入り込ませた第二材料に前記第一材料側との幾何学的な係合部を形成せしめてから前記接合ツールを引き抜き、前記係合部を硬化させて第一材料と第二材料とを接合することを特徴とする材料の接合方法。
【請求項２】
第一材料の接合孔の内側面に溝部を予め形成しておき、該溝部と嵌合して第二材料側に形成される山部を係合部とすることを特徴とする請求項１に記載の材料の接合方法。
【請求項３】
第二材料側における第一材料の接合孔に対応する位置を部分的に板厚増加して材料不足を補うことを特徴とする請求項１又は２に記載の材料の接合方法。
【請求項４】
第一材料の接合孔内に挿入可能なピン部を有する接合ツールを用いて第二材料を前記接合孔へ入り込ませることを特徴とする請求項１、２又は３に記載の材料の接合方法。
【請求項５】
第二材料側から接合ツールを第二材料に押し付けて接合を図ることを特徴とする請求項１、２、３又は４に記載の材料の接合方法。
【請求項６】
第一材料側から接合孔を通し接合ツールのピン部を第二材料に押し付けて接合を図ることを特徴とする請求項４に記載の材料の接合方法。
【請求項７】
第一材料の反第二材料側に配置された裏当て部材に、前記第一材料の接合孔と対峙し且つ該接合孔より大きな平面断面を有する凹部を予め形成しておくと共に、第二材料側から接合ツールを第二材料に押し付けて接合を図り、前記凹部と嵌合して第二材料側に形成されるアンカー部を係合部とすることを特徴とする請求項１、２、３又は４に記載の材料の接合方法。
【請求項８】
第一材料の反第二材料側に、接合孔と連続し且つ該接合孔より大きな平面断面を有する凹部を予め形成しておくと共に、第二材料側から接合ツールを第二材料に押し付けて接合を図り、前記凹部と嵌合して第二材料側に形成されるアンカー部を係合部とすることを特徴とする請求項１、２、３又は４に記載の材料の接合方法。
【請求項９】
第一材料側から接合孔を通し接合ツールのピン部を第二材料に押し付けて接合を図り、接合ツールのピン部の基端側周囲と第一材料の接合孔周囲との間の隙間に張り出して第二材料側に形成されるアンカー部を係合部とすることを特徴とする請求項４に記載の材料の接合方法。
【請求項１０】
第一材料の接合孔に第二材料側へ向け徐々に狭まるテーパ形状を予め付しておき、この接合孔の内側面と嵌合して第二材料側に形成されるテーパ形状部を係合部とすることを特徴とする請求項１乃至９の何れかに記載の材料の接合方法。
【請求項１１】
第一材料と第二材料の端部同士を重ね合わせて接合するにあたり、該各端部を重ね合わせた時に、その重ね合わせ部分の板厚が第一材料及び第二材料の一枚分となるように前記各端部の互いに向き合う側を切り欠いて段差の無い継手構造を採用することを特徴とする請求項１乃至１０の何れかに記載の材料の接合方法。
【請求項１２】
第一材料に対し接合孔をスポット状に穿設しておき、該接合孔に対応した一点に接合ツールを位置決めしてスポット接合を行うことを特徴とする請求項１乃至１１の何れかに記載の材料の接合方法。
【請求項１３】
第一材料に対し接合孔をスリット状に穿設しておき、該接合孔の長手方向に接合ツールを移動させて連続接合を行うことを特徴とする請求項１乃至１１の何れかに記載の材料の接合方法。
【発明の詳細な説明】
【技術分野】
【０００１】
本発明は、材料の接合方法に関するものである。
【背景技術】
【０００２】
近年、自動車業界においては、燃費向上等を目指した車両の軽量化を図る観点からアルミ材等の軽量素材が積極的に採用されており、これによりアルミ材と鉄材等といった溶接が困難な異種材料同士の接合技術に関する重要性が高まってきているが、従来、この種の溶接が困難な異種材料同士の接合に関しては、ボルトによる締結、メカニカルクリンチによる接合、接着剤による接着等の手段が用いられている。
【０００３】
尚、後述する本発明の材料の接合方法に関連する先行技術文献情報としては下記の特許文献１等がある。
【特許文献１】特開２００４−１３６３６５号公報
【発明の開示】
【発明が解決しようとする課題】
【０００４】
しかしながら、例えば、ボルトによる締結を採用した場合には、接合すべき材料の表裏面にボルトやナットが突起物として張り出すため、これらの突起物の占有スペースを設計上で確保しなければならないという制約があり、しかも、ボルトによる締結では緩みや脱落等の心配もあり、また、メカニカルクリンチによる接合を採用した場合には、薄板同士の接合が中心となる上、材料に熱を加えずに加圧のみで接合を行うことになるため、割れや変形等の品質欠陥が発生し易いという問題があった。
【０００５】
更に、接着剤による接着を採用した場合には、作業性や作業環境が悪いという問題に加え、リサイクル時における接着剤の材料からの分離が困難であるためにリサイクル性が悪いという問題があった。
【０００６】
本発明は上述の実情に鑑みてなしたもので、設計上の制約となるような突起物の張り出し及び緩みや脱落等の心配がなくて済み、薄板から厚板まで広範な範囲で接合が可能で且つ割れや変形等の品質欠陥の発生を回避することができ、作業性や作業環境を良好に維持したままリサイクル性に優れた接合を行うことができる材料の接合方法を提供することを目的とする。
【課題を解決するための手段】
【０００７】
本発明は、接合孔を予め穿設してある第一材料に前記接合孔を被覆するように第二材料を重ね合わせ、前記接合孔に対応させて配置した接合ツールを回転しながら第二材料に押し付け、該第二材料と接合ツールとの間に生じた摩擦熱で前記第二材料を固相状態のまま局所的に軟化させて第一材料の接合孔へ入り込ませ、該接合孔に入り込ませた第二材料に前記第一材料側との幾何学的な係合部を形成せしめてから前記接合ツールを引き抜き、前記係合部を硬化させて第一材料と第二材料とを接合することを特徴とする材料の接合方法、に係るものである。
【０００８】
而して、このようにすれば、第一材料の接合孔内に入り込んで硬化した第二材料が前記第一材料側との間に成す幾何学的な係合部によって、抜け止めや回り止めの効果が奏されて第一材料と第二材料とが強固に接合されることになる。
【０００９】
この際、第一材料の接合孔内に入り込む第二材料は、前記第一材料側との間に幾何学的な係合部を形成するだけであり、ボルト締結の場合におけるボルトやナットの如き突起物が張り出すことがないため、この種の突起物の占有スペースを確保するといった設計上の制約がかからなくて済み、しかも、ボルト締結を採用した場合のような緩みや脱落等の心配もなくなる。
【００１０】
また、予め接合孔が穿設されている第一材料に対し接合ツールにより第二材料側を軟化させて前記接合孔に入り込ませるだけで良いので、第一材料及び第二材料の板厚が比較的大きくなっても対応することが可能であり、薄板から厚板まで広範な範囲で接合が実現されることになる。
【００１１】
しかも、接合ツールにより第二材料に摩擦熱を与えて軟化させた上で第一材料側に無理な加圧力をかけることなく接合を完了させることが可能であり、割れや変形等の品質欠陥の発生が未然に回避されることになる。
【００１２】
更に、接着剤のような介在物無しで第一材料と第二材料とを係合部を介し機械的に接合するので、接着剤を用いた場合のような作業性や作業環境の悪化を招かなくても済み、しかも、リサイクル時における分離作業が容易なリサイクル性に優れた接合が実現されることになる。
【００１３】
また、本発明をより具体的に実施するに際しては、第一材料の接合孔の内側面に溝部を予め形成しておき、該溝部と嵌合して第二材料側に形成される山部を係合部とすることが可能である。
【００１４】
尚、本発明において、第一材料に重ねる第二材料の板厚が薄過ぎて、接合孔に入り込ませるべき第二材料が不足する虞れがある場合には、第二材料側における第一材料の接合孔に対応する位置を部分的に板厚増加して材料不足を補うことが可能である。
【００１５】
更に、本発明においては、第一材料の接合孔内に挿入可能なピン部を有する接合ツールを用いて第二材料を前記接合孔へ入り込ませることが好ましく、このようにすれば、ピン部により接合孔の深部まで確実に第二材料を入り込ませることが可能となる。
【００１６】
尚、接合ツールを第二材料に押し付けて接合を図るに際しては、第二材料側から接合ツールを第二材料に押し付けて接合を図るようにしたり、第一材料側から接合孔を通し接合ツールのピン部を第二材料に押し付けて接合を図るようにしたりすることが可能である。
【００１７】
また、第一材料の反第二材料側に配置された裏当て部材に、前記第一材料の接合孔と対峙し且つ該接合孔より大きな平面断面を有する凹部を予め形成しておくと共に、第二材料側から接合ツールを第二材料に押し付けて接合を図り、前記凹部と嵌合して第二材料側に形成されるアンカー部を係合部とすることも可能である。
【００１８】
更に、第一材料の反第二材料側に、接合孔と連続し且つ該接合孔より大きな平面断面を有する凹部を予め形成しておくと共に、第二材料側から接合ツールを第二材料に押し付けて接合を図り、前記凹部と嵌合して第二材料側に形成されるアンカー部を係合部とすることも可能である。
【００１９】
また、第一材料側から接合孔を通し接合ツールのピン部を第二材料に押し付けて接合を図り、接合ツールのピン部の基端側周囲と第一材料の接合孔周囲との間の隙間に張り出して第二材料側に形成されるアンカー部を係合部とすることも可能である。
【００２０】
更に、第一材料の接合孔に第二材料側へ向け徐々に狭まるテーパ形状を予め付しておき、この接合孔の内側面と嵌合して第二材料側に形成されるテーパ形状部を係合部とすることも可能である。
【００２１】
また、第一材料と第二材料の端部同士を重ね合わせて接合するにあたっては、該各端部を重ね合わせた時に、その重ね合わせ部分の板厚が第一材料及び第二材料の一枚分となるように前記各端部の互いに向き合う側を切り欠いて段差の無い継手構造を採用することが好ましい。
【００２２】
更に、第一材料に対し接合孔をスポット状に穿設しておき、該接合孔に対応した一点に接合ツールを位置決めしてスポット接合を行うようにしても良く、或いは、第一材料に対し接合孔をスリット状に穿設しておき、該接合孔の長手方向に接合ツールを移動させて連続接合を行うようにしても良い。
【発明の効果】
【００２３】
上記した本発明の材料の接合方法によれば、下記の如き種々の優れた効果を奏し得る。
【００２４】
（Ｉ）ボルト締結の場合におけるボルトやナットの如き突起物の張り出しがないことから設計上の制約を大幅に緩和することができると共に、ボルト締結の場合の如き緩みや脱落等の心配も解消することができ、しかも、薄板から厚板まで広範な範囲で接合が可能で且つ割れや変形等の品質欠陥の発生を回避することができ、更には、作業性や作業環境を良好に維持したままリサイクル性に優れた接合を行うことができる。
【００２５】
（ＩＩ）第一材料の接合孔内に挿入可能なピン部を有する接合ツールを用いて第二材料を前記接合孔へ入り込ませるようにすれば、ピン部により接合孔の深部まで確実に第二材料を入り込ませることができるので、第一材料と第二材料との接合の信頼性をより一層向上することができる。
【００２６】
（ＩＩＩ）第一材料と第二材料の端部同士を重ね合わせて接合するにあたり、該各端部を重ね合わせた時に、その重ね合わせ部分の板厚が第一材料及び第二材料の一枚分となるように前記各端部の互いに向き合う側を切り欠いて段差の無い継手構造を採用すれば、第一材料と第二材料との接合部分における美観を大幅に向上し且つ該接合部分の省スペース化を図ることができる。
【発明を実施するための最良の形態】
【００２７】
以下本発明の実施の形態を図面を参照しつつ説明する。
【００２８】
図１〜図４は本発明を実施する形態の一例を示すもので、本形態例においては、鉄材の第一材料１とアルミ材の第二材料２とをスポット接合する場合を例示しており、図１に示す如く、第一材料１には、その厚さ方向に貫通する接合孔３がスポット状に穿設され、該接合孔３を被覆するように第二材料２が第一材料１の上に重ね合わせてあり、第一材料１の下面側（反第二材料２側）には裏当て部材４が配置されている。
【００２９】
ここで、前記接合孔３の内周面には、ネジ加工により螺旋状の溝部５が形成されており、また、前記裏当て部材４の上面には、前記第一材料１の接合孔３と対峙し且つ該接合孔３より大きな平面断面を有する凹部６が形成されている。
【００３０】
更に、前記第二材料２の上側には、第一材料１の接合孔３内に挿入可能なピン部７を下端に有する円柱状の接合ツール８が前記接合孔３と同心状に配置されており、図示しない接合装置により回転可能且つ昇降可能に支持されるようになっている。
【００３１】
そして、このように重ね合わせた第一材料１と第二材料２とを接合ツール８により接合するにあたっては、図１の状態から図２に示すように接合ツール８を回転しながら下降して第二材料２に押し付け、該第二材料２と接合ツール８との間に生じた摩擦熱で前記第二材料２を固相状態のまま局所的に軟化させて第一材料１の接合孔３へ入り込ませる。
【００３２】
次いで、図３に示す如く、接合ツール８をショルダー部９が第二材料２の表面に当接する位置まで下降させると、接合孔３に入り込ませた第二材料２が塑性流動及び圧入により接合孔３と凹部６の全域に拡がり、接合孔３の螺旋状の溝部５と嵌合することで第二材料２側に螺旋状（ネジ山状）の山部５’が形成されると共に、裏当て部材４の凹部６と嵌合することで第二材料２側に接合孔３より平面断面の大きなアンカー部６’が形成され、これら山部５’とアンカー部６’とが第一材料１側との幾何学的な係合部を成すことになる。
【００３３】
然る後、図４に示す如く、接合ツール８を上方へ引き抜いて山部５’及びアンカー部６’を硬化させると、第一材料１の接合孔３内に入り込んで硬化した第二材料２が前記第一材料１側との間に成す山部５’及びアンカー部６’によって、抜け止めや回り止めの効果が奏されて第一材料１と第二材料２とが強固に接合されることになる。
【００３４】
事実、図５にグラフで示している通り、本発明者による強度比較（引張り剪断）の検証実験（６ｍｍ厚のアルミ材と５ｍｍ厚の鉄材との接合）では、５ｍｍ厚のアルミ材同士の同種材料をスポット溶接した場合よりも顕著に高い引張り剪断強度が得られ、更には、ボルト締結と比較しても、これに優る極めて高い引張り剪断強度が得られることが確認された。
【００３５】
即ち、螺旋状の山部５’とアンカー部６’の組み合わせによれば、接合孔３の軸心方向（図４中では上下方向）に向けた第一材料１及び第二材料２の相対変位が固定されて抜け止め効果が得られ、しかも、このように軸心方向の相対変位が固定された状態にあっては、同方向への相対変位を伴う軸心回りの回転（接合孔３の溝部５と第二材料２側の山部５’とが螺合状態にある）も不可能となって回り止め効果が得られることになる。
【００３６】
尚、ここでは接合孔３の内周面に螺旋状の溝部５をネジ加工した場合を例示したが、この溝部５は必ずしも螺旋状に形成することに限定されるものではなく、例えば、リング状の溝部５とスプライン状の溝部５との組み合わせ（螺旋状の溝部５とスプライン状の溝部５との組み合わせでも可）によりアンカー部６’無しでも抜け止めや回り止めの効果が得られるようにすることが可能である。
【００３７】
更に、本形態例においては、第一材料１と第二材料２とが強固に接合されるに際し、第一材料１の接合孔３内に入り込む第二材料２が、前記第一材料１側との間に幾何学的な係合部として山部５’及びアンカー部６’を形成するだけであり、ボルト締結の場合におけるボルトやナットの如き突起物が張り出すことがないため、この種の突起物の占有スペースを確保するといった設計上の制約がかからなくて済み、しかも、ボルト締結を採用した場合のような緩みや脱落等の心配もなくなる。
【００３８】
また、予め接合孔３が穿設されている第一材料１に対し接合ツール８により第二材料２側を軟化させて前記接合孔３に入り込ませるだけで良いので、第一材料１及び第二材料２の板厚が比較的大きくなっても対応することが可能であり、薄板から厚板まで広範な範囲で接合が実現されることになる。
【００３９】
尚、第一材料１に重ねる第二材料２の板厚が薄過ぎて、接合孔３に入り込ませるべき第二材料２が不足し、裏当て部材４の凹部６が埋まりきらないような事態が生じた場合には、図６に示す如く、第一材料１の接合孔３の直上にあたる第二材料２側の表面に隆起部２ａを一体的に形成したり、或いは、図示しない別の第二材料のピースを前記隆起部２ａとして追加したりして部分的に板厚増加を図り、これにより材料不足を補って裏当て部材４の凹部６が確実に第二材料２で埋まるようにすれば良い。
【００４０】
この際、前記隆起部２ａのサイズを接合ツール８のショルダー部９の外径Ｄ内に収めるようにすれば、該ショルダー部９により前記隆起部２ａが残存することなく軟化して平坦化され、第二材料２の最終的な上面形状をフラットなものとすることが可能となる。
【００４１】
また、接合ツール８により第二材料２に摩擦熱を与えて軟化させた上で第一材料１側に無理な加圧力をかけることなく接合を完了させることが可能となるので、割れや変形等の品質欠陥の発生が未然に回避されることになる。
【００４２】
更に、接着剤のような介在物無しで第一材料１と第二材料２とを山部５’及びアンカー部６’を介し機械的に接合するので、接着剤を用いた場合のような作業性や作業環境の悪化を招かなくても済み、しかも、リサイクル時における分離作業が容易なリサイクル性に優れた接合が実現されることになる。
【００４３】
従って、上記形態例によれば、ボルト締結の場合におけるボルトやナットの如き突起物の張り出しがないことから設計上の制約を大幅に緩和することができると共に、ボルト締結の場合の如き緩みや脱落等の心配も解消することができ、しかも、薄板から厚板まで広範な範囲で接合が可能で且つ割れや変形等の品質欠陥の発生を回避することができ、更には、作業性や作業環境を良好に維持したままリサイクル性に優れた接合を行うことができるという優れた効果を奏することができる。
【００４４】
また、以上に説明した形態例では、裏当て部材４に凹部６を形成した場合で例示しているが、図７に示す如く、第一材料１の下面側（反第二材料２側）に、接合孔３と連続し且つ該接合孔３より大きな平面断面を有する凹部１０を座ぐり加工しておくことで、上面が平坦な裏当て部材４を使用するようにしても良い。
【００４５】
このようにした場合には、接合ツール８による摩擦熱で軟化して接合孔３に入り込んだ第二材料２が、第一材料１下面の凹部１０に嵌合してアンカー部１０’を形成することになり、第一材料１の最終的な下面形状をフラットなものとすることが可能となる。
【００４６】
また、図８に示す如く、第一材料１と第二材料２との重ね方を上下逆にして配置し、上方から第一材料１の接合孔３を通し接合ツール８のピン部７を第二材料２に押し付けて接合を図るようにしても良く、このようにした場合には、第二材料２と接合ツール８との間に生じた摩擦熱で前記第二材料２が固相状態のまま局所的に軟化し、その軟化した第二材料２が接合ツール８の圧入により行き場を無くしてピン部７の周囲を迫り上がり、接合孔３の螺旋状の溝部５と嵌合することで第二材料２側に螺旋状（ネジ山状）の山部５’が形成されると共に、接合ツール８のピン部７の基端側周囲のショルダー部９と第一材料１の接合孔３周囲との間の隙間に張り出すことで第二材料２側に接合孔３より平面断面の大きなアンカー部６’が形成され、これら山部５’とアンカー部６’とが第一材料１側との幾何学的な係合部を成すことになる。
【００４７】
この際、アンカー部６’の形成が不要である場合には、接合ツール８のショルダー部９が第一材料１の上面に圧接又はぎりぎり当たる位置まで押し付けを継続することが可能であり、このようにすれば、第一材料１の最終的な上面形状をフラットなものとすることが可能となる。
【００４８】
また、前述した各形態例は、第一材料１の接合孔３内に挿入可能なピン部７を有する接合ツール８を用いて接合を行う場合で例示しているが、図９に示す如く、ピン部７の無い接合ツール８を用いて第一材料１と第二材料２との接合を行うことも不可能ではない。
【００４９】
更に、図１０に示す如く、第一材料１の接合孔３に第二材料２側へ向け徐々に狭まるテーパ形状を予め付しておき、この接合孔３の内周面と嵌合して第二材料２側に形成されるテーパ形状部１２を係合部としても良く、このようにした場合に、接合孔３の内周面にも前述と同様の溝部５（螺旋状、リング状、スプライン状等）を形成して併用させることが好ましい。
【００５０】
また、図１１に示す如く、第一材料１と第二材料２の端部同士を重ね合わせて接合するにあたっては、該各端部を重ね合わせた時に、その重ね合わせ部分の板厚が第一材料１及び第二材料２の一枚分となるように前記各端部の互いに向き合う側を切り欠いて段差の無い継手構造を採用することが好ましく、このようにすれば、第一材料１と第二材料２との接合部分における美観を大幅に向上し且つ該接合部分の省スペース化を図ることが可能となる。
【００５１】
尚、図１１で示す例の場合には、第一材料１と第二材料２の各端部をクランク型を成すように切り欠いているが、図１２に示す如く、第一材料１と第二材料２の各端部を斜めにカットした形状を成すように切り欠いても良い。
【００５２】
更に、以上に述べた各形態例においては、第一材料１に対し接合孔３をスポット状に穿設しておき、該接合孔３に対応した一点に接合ツール８を位置決めしてスポット接合を行う場合で説明したが、先の図１〜図４、図６〜図１２における接合孔３を図面に対し直角な向きに延びるスリット状に穿設しておき、該接合孔３の長手方向に接合ツール８を移動させて連続接合を行うようにすることも可能である。
【００５３】
このような連続接合にあっては、接合ツール８が回転しながら移動することによって、接合始端部から接合終端部の手前までの間が、軟化した第二材料２により順次埋められていくことになり、最終的に終端部に穴が残るだけで済んで比較的美観の良い仕上がりとなる。
【００５４】
尚、本発明の材料の接合方法は、上述の形態例にのみ限定されるものではなく、第一材料及び第二材料は必ずしも異種材料でなくても良く、第一材料及び第二材料が同種材料であっても同様の接合方法を適用して良いこと、更に、第一材料は接合孔が穿設できるものであれば特にその材質を問わないこと、また、第二材料は摩擦熱で固相状態のまま局所的に軟化させられるものであれば良く、金属材料以外に高分子材料等を適宜に採用し得ること、その他、本発明の要旨を逸脱しない範囲内において種々変更を加え得ることは勿論である。
【図面の簡単な説明】
【００５５】
【図１】本発明を実施する形態の一例を示す断面図である。
【図２】図１の接合ツールを回転しながら下降した状態を示す断面図である。
【図３】図２で軟化した第二材料が接合孔に入り込んだ状態を示す断面図である。
【図４】図３の状態から接合ツールを引き上げた状態を示す断面図である。
【図５】強度比較（引張り剪断）の検証実験の結果を示すグラフである。
【図６】第二材料側の表面に隆起部を形成した例を示す断面図である。
【図７】第一材料側に凹部を形成した例を示す断面図である。
【図８】第一材料側から接合ツールのピン部により接合を図る例を示す断面図である。
【図９】ピン部の無い接合ツールを用いた例を示す断面図である。
【図１０】接合孔にテーパ形状を付した例を示す断面図である。
【図１１】接合部分に段差の無い継手構造を採用した例を示す断面図である。
【図１２】段差の無い継手構造の別の例を示す断面図である。
【符号の説明】
【００５６】
１  第一材料
２  第二材料
２ａ  隆起部
３  接合孔
４  裏当て部材
５  溝部
５’  山部（係合部）
６  凹部
６’  アンカー部（係合部）
７  ピン部
８  接合ツール
９  ショルダー部
１０  凹部
１０’  アンカー部（係合部）
１１  凹部
１１’  アンカー部（係合部）
１２  テーパ形状部
【図１】
2007136505.tif 000003
【図２】
2007136505.tif 000004
【図３】
2007136505.tif 000005
【図４】
2007136505.tif 000006
【図５】
2007136505.tif 000007
【図６】
2007136505.tif 000008
【図７】
2007136505.tif 000009
【図８】
2007136505.tif 000010
【図９】
2007136505.tif 000011
【図１０】
2007136505.tif 000012
【図１１】
2007136505.tif 000013
【図１２】
2007136505.tif 000014